(57)【要約】【課題】キャビネットの扉等の開閉操作による影響を受けることのない使い勝手のよい調理器を提供すること。【解決手段】組み込み型調理器の内部をこんろバ−ナ配設空間７０とグリル等の配設空間７３に分割して、こんろバ−ナ配設空間７０を独立空間として構成し、且つシステムキッチンのキャビネット空間と隔離したこんろバ−ナ配設空間として構成している。これによって、急激なキャビネット開閉操作時に生じるキャビネット庫内の空気流の影響をなんら受けることなく、こんろバ−ナの安定した燃焼性を確保することができ、また、キャビネット開閉操作も自由にでき使い易さに優れた調理器を提供することができる。【選択図】図２
2005106378.tif 000002
【特許請求の範囲】
【請求項１】
前面に開閉自在な扉を備えたキャビネットのカウンタトップの開口に吊持させて設置される組み込み型調理器において、外殻体内にグリル機能を有した焼生器と、鍋等の被加熱物を加熱するこんろバーナを配設し、前記外殻体の上面に前記こんろバーナに対応し開口を有した天板を着脱自在に設け、前記外殻体と前記天板とで庫を構成すると共に、前記庫内が焼生器配設空間とこんろバーナ配設空間とに略分割され、前記こんろバーナ配設空間はキャビネット内に面しない前記外殻体の一部を共有して構成し、前記外殻体の一部に空気流入排出口を設けた組み込み型調理器。
【請求項２】
焼生器配設部とこんろバーナ配設部間に隔壁を設けた請求項１記載の組み込み型調理器。
【請求項３】
外殻体と天板で構成した庫内に、外殻体の一部と前記外殻体とは別体の内殻体と天板でこんろバーナ配設空間を設けた請求項１又は２記載の組み込み型調理器。
【請求項４】
こんろバーナが配設される開口を有した天板とは別体の蓋を固定又は着脱自在に設けた請求項１〜３のいずれか１項記載の組み込み型調理器。
【発明の詳細な説明】
【技術分野】
【０００１】
本発明は、ガス、石油等を燃料とするこんろバーナを加熱源とする組み込み型調理器に関するものである。
【背景技術】
【０００２】
従来の組み込み型調理器１は、住宅の厨房の側壁に並設された調理台その他の厨房家具用のものとして使用される。その一例として図７、図８には、開口２を備えたカウンタトップ３前面に開閉自在な扉４を備えたキャビネット５から構成された厨房家具６が断面で示されている。該組み込み調理器１はカウンタトップ３の開口２に吊持させて設置される。厨房の側壁７には、例えば屋外のガス源から組み込み調理器１に燃料ガスを供給するためのガス配管８を配置するために貫通開口９が設けられている。この貫通開口９はガス配管８を配置した後、ある程度は密封されるが、後日のメンテナンス等を考慮すると、完全な形で密封することはできない。よって、この貫通開口９を介して室内、特にカウンタトップ３の下側であって、キャビネット５と側壁７によって画成される空間１０が外気と連通する。
【０００３】
例えば、屋外で強風が吹いているような時、屋外の圧力は、カウンタトップ３の下側空間１０の圧力より低くなり得る。この圧力差は、組み込み調理器１本体に、図８に矢印で示す、上方の空気が組み込み調理器１本体内部に吸い込まれるような空気の流れを生じさせる。組み込み調理器１本体の背板や側板には、組み込み調理器１のガスこんろ１１使用時に生じる組み込み調理器１本体内部の熱気をある程度放出するとともに、ガスこんろ１１の燃焼に必要な燃焼用空気を取り入れるために、組み込み調理器１本体の外殻体１２を構成する背板１３や側板１４に多数の開孔１５が形成されており、そのため、これらの開孔１５を介して組み込み調理器１本体の空気が空間１０を経て屋外に吸い出され、それに伴って組み込み調理器１上方の空気が組み込み調理器１に吸い込まれる。特に、厨房に窓等の換気口を設けることができないマンション等の集合住宅では、外気の影響を一層受けやすく、上述の空気の流れが組み込み調理器１本体に生じやすい。
【０００４】
図６に示したように、ガスこんろ１１使用時に、組み込み調理器１上方の空気が組み込み調理器１本体内部に吸い込まれるような空気の流れが組み込み調理器１本体に生じると、こんろバーナ１６には、一般的にブンゼンバ−ナと呼ばれてノズル１７からこんろバ−ナ入り口１８にガスを噴出して、ガスの噴出エネルギ−で空気を吸引してこんろバ−ナ１６内で予混合気となって燃焼するために、こんろバ−ナ１６の入り口１８にも吸い込まれる力が作用して炎口１９に作用するので、組み込み調理器１本体内部に吸い込まれる空気に伴って、ガスこんろ１１のこんろバ−ナ１６の火炎２０が組み込み調理器１内部に引き込まれる場合が生じる。特に、炎口１９が外周面に沿って環状に列設され、火炎２０が外向きに燃焼する形態である外炎式こんろバーナ１６が組み込み調理器１本体に備えられている場合、こんろバーナ１６の炎口１９の近傍に、こんろバーナ１３燃焼に必要な燃焼用空気を供給するための開孔１５が積極的に設けられているので、開孔１５を介して炎が組み込み調理器１本体内部に引き込まれ易くなる。また、燃焼熱が組み込み調理器１本体内部すいこまれることによって、組み込み調理器１本体内部に設置されている電気配線や他の部品が熱的影響を受ける恐れがある。
【０００５】
現状では、上方の空気が組み込み調理器１本体内部に吸い込まれないような空気の流れが生じることを防止するために、厨房家具６に設置された組み込み調理器１本体の後側２１であって、キャビネット５の後面に仕切り板２２を設置するようにしている。
【０００６】
又、従来、複数の炎口１９が環状に列設されたこんろバーナ１３と、このこんろバーナ３への燃料ガス供給を制御する手段とを備えた組み込み調理器１本体をカウンタ−トップ３の開口２に吊持させて設置されるものにおいて、こんろバーナ１６の炎口１９下側の領域であって、こんろバーナ１６の炎が組み込み調理器１本体に引き込まれた時、火炎２０によって過熱され得る領域に過熱検出手段が設けられ、過熱検出手段が所定の温度を検出すると、制御手段が、こんろバーナ１６への燃料ガスの供給を停止するようにしているものもある（例えば特許文献１参照）。
【特許文献１】特開２０００−３５６３４９号公報
【発明の開示】
【発明が解決しようとする課題】
【０００７】
しかしながら、上記従来のような位置に仕切り板２２を配置したとしても、キャビネット５と外気との連通を完全に遮断することはできなかった。また、キャビネット５と外気との連通を完全に遮断することができても、組み込み調理器１は開口２を備えたカウンタトップ３の前面に開閉自在な扉４を備えたキャビネット５のカウンタトップ３の開口２に吊持させて設置されているために、開閉自在なキャビネット５の扉４を開操作するとキャビネット５内は瞬時的に負圧空間状態になる。この負圧状態を解消するために、キャビネット５内とキャビネット５外と連通しているガス配管８を配設するために設けたキャビネット５の孔との隙間と組み込み調理器１本体の背板１３や側板１４に設けた、組み込み調理器１のガスこんろ１１の使用時に生じる組み込み調理器１本体内部の熱気をある程度放出するとともに、ガスこんろ１１のこんろバーナ１６の燃焼に必要な燃焼用空気を取り入れるために多数の開孔から瞬時に外気が流入する。この時、組み込み調理器１本体の上方の空気がこんろバーナ１６を経てキャビネット５内に吸い込まれ、この外気の流入流れでこんろバーナ１６の炎が煽られて消火するという課題があった。
【０００８】
また、キャビネット５の扉の開閉操作によるこんろバ−ナ１６の配設空間がキャビネット５庫内空間との間が仕切られていなかったために、組み込み調理器１本体の外殻体１２とキャビネット５庫間に仕切り板２２等を介在させて、キャビネット５の扉４の開閉操作時に生じる負圧現象がこんろバ−ナ１６部に影響するのを防止するために、キャビネット庫と外殻体間に仕切り板２２を設けなければならず、よって、仕切り板２２の追加によるコストアップという課題があった。また、前述の仕切り板を設けてもキャビネット５庫内と組み込み調理器１との間を完全に遮断することは、調理器へのガス配管等が複雑に存在するためにできなかったので、仕切り板２２を設けても、キャビネット５の扉４の比較的早い開閉操作によっては、消火するという課題があった。
【０００９】
本発明は、上記従来の課題を解決するもので、組み込み調理器１本体の上方の空気がこんろバーナを経てキャビネット内に吸い込まれ、この外気の流入経路を規制してこんろバーナ部分を通過しない構成にして、キャビネット開閉の都度炎が消えない使い勝手の良い組み込み調理器を提供することを目的としている。
【課題を解決するための手段】
【００１０】
上記の目的を達成するために本発明の組み込み調理器は、カウンタトップ前面に開閉自在な扉を備えたキャビネットのカウンタトップの開口に吊持させて設置される組み込み調理器において、外殻体内にグリル機能を有した焼生器を配設し、鍋等の被加熱物を加熱するこんろバーナを配設し、外殻体上面にこんろバーナに対応して、こんろバーナが配設される開口を有した天板を着脱自在に設け、外殻体と天板で庫を構成し、庫内が焼生器配設空間とこんろバーナ配設空間に略分割され、こんろバーナ配設空間はキャビネット内に面しない外殻体の一部を共有して構成し、こんろバーナ配設空間を構成したキャビネット内に面しない外殻体の一部に空気流入排出口を設けた組み込み調理器で、カウンタトップ前面に開閉自在な扉を備えたキャビネットのカウンタトップの開口に吊持させて配設したものである。
【００１１】
これにより、組み込み調理器はカウンタトップの開口に吊持させて設置される。厨房の側壁には、例えば屋外のガス源から組み込み調理器に燃料ガスを供給すためのガス配管８を配置するために貫通開口が設けられている。この貫通開口はガス配管を配置した後、ある程度は密封されるが、後日のメンテナンス等を考慮すると、完全な形で密封することはできない。
【００１２】
また、キャビネットと外気との連通を完全に遮断することができても、組み込み調理器は開口を備えたカウンタトップ前面に開閉自在な扉を備えたキャビネットのカウンタトップの開口に吊持させて設置されているために、開閉自在な扉を開操作するとキャビネット内は瞬時的に負圧空間状態になる。この負圧状態を解消するために、キャビネット内とキャビネット外と連通しているガス配管とガス配管を配設するために設けたキャビネットの孔との隙間と組み込み調理器本体の背板や側板に設けた、組み込み調理器のこんろ使用時に生じる組み込み調理器本体内部の熱気をある程度放出するとともに、こんろバーナの燃焼に必要な燃焼用空気を取り入れるために設けた多数の開孔から瞬時に外気が流入する。
【００１３】
こんろバーナ使用時に、上方の空気がこんろ本体内部に吸い込まれるような空気の流れがこんろ本体内部に生じると、こんろ本体内部に吸い込まれる空気に伴って、こんろバ―ナの炎がこんろ本体内部に引き込まれる場合が生じても、カウンタトップ前面に開閉自在な扉を備えたキャビネットのカウンタトップの開口に吊持させて設置される組み込み調理器において、外殻体内にグリル機能を有した焼生器を配設し、鍋等の被加熱物を加熱するこんろバーナを配設し、外殻体上面にこんろバーナに対応して、こんろバーナが配設される開口を有した天板を着脱自在に設け、外殻体と天板で庫を構成し、庫内が焼生器配設空間とこんろバーナ配設空間に略分割され、こんろバーナ配設空間はキャビネット内に面しない外殻体の一部を共有して構成し、こんろバーナ配設空間を構成したキャビネット内に面しない外殻体の一部に空気流入排出口を設けたので、開閉自在な扉を開操作してキャビネット内は瞬時的に負圧空間状態になっても、こんろバーナ配設空間はキャビネット空間とは仕切られているために影響を受けず消火することがなく使い勝手のよい調理器を提供できる。
【発明の効果】
【００１４】
以上のように本発明によれば、下記の効果が得られる。
【００１５】
すなわち本発明によれば、カウンタトップ前面に開閉自在な扉を備えたキャビネットのカウンタトップの開口に吊持させて設置される組み込み調理器において、外殻体内にグリル機能を有した焼生器を配設し、鍋等の被加熱物を加熱するこんろバーナを配設し、外殻体上面にこんろバーナに対応して、こんろバーナが配設される開口を有した天板を着脱自在に設け、外殻体と天板で庫を構成し、仕切り板等の隔壁を設けて庫内が焼生器配設空間とこんろバーナ配設空間に略分割され、こんろバーナ配設空間はキャビネット５内に面しない外殻体の一部を共有して構成し、こんろバーナ配設空間を構成したキャビネット内に面しない外殻体の一部に空気流入排出口を設けたことにより、キャビネット庫内の収容物を取り出したり、収納しようとしてキャビネット扉を急激に開操作されても、負圧状態になることはなく、従来のように炎口部に負圧現象が作用して火炎が炎口内に引き込まれて消火することはなく、使い勝手のよい調理器を提供できる。
【００１６】
また、庫内が焼生器配設空間とこんろバーナ配設空間に略分割され、こんろバーナ配設空間は、前板にこんろバ−ナの燃焼に必要な燃焼用二次空気を取り入れるために多数の開口を設け、他の部分には燃焼に必要な燃焼用二次空気を取り入れるための開口は設けず、燃焼用二次空気は前板の開口のみから供給される構成であるから、こんろバーナ配設空間に燃焼用二次空気は十分に供給される。よって、こんろバーナ配設空間内に燃焼用二次空気が不足して、こんろバ−ナの燃焼不良が生じることなく、一酸化炭素等の排出もなく安全な調理器が提供できる。
【発明を実施するための最良の形態】
【００１７】
請求項１に記載の発明は、カウンタトップ前面に開閉自在な扉を備えたキャビネットのカウンタトップの開口に吊持させて設置される組み込み調理器において、外殻体内にグリル機能を有した焼生器を配設し、鍋等の被加熱物を加熱するこんろバーナを配設し、外殻体上面にこんろバーナに対応して、こんろバーナが配設される開口を有した天板を着脱自在に設け、外殻体と天板で庫を構成し、庫内が焼生器配設空間とこんろバーナ配設空間に略分割され、こんろバーナ配設空間はキャビネット内に面しない外殻体の一部を共有し、こんろバーナ配設空間を構成したキャビネット内に面しない外殻体の一部に空気流入排出口を設けている。
【００１８】
これによって、開閉自在なキャビネット扉を開操作してキャビネット内は瞬時的に負圧空間状態になっても、こんろバーナ配設空間はキャビネット空間とは仕切られているためにこんろバ−ナの燃焼に必要な空気はキャビネット内から供給されるのではなく、キャビネットに面しない部分から供給されるために、キャビネットの扉等の開閉操作による影響を受けず消火することなく使い勝手のよい調理器を提供できる。
【００１９】
また、こんろバーナ配設空間を構成したキャビネット内に面しない外殻体の一部に空気流入排出口を設けたので、こんろバ−ナの燃焼に必要な空気はキャビネット内から供給されるのではなく、キャビネットに面しない部分から供給されるために、キャビネットの扉等の開閉操作による影響を受けることなく安定して供給されるので、こんろバ−ナの安定した燃焼が確保できる。
【００２０】
また、キャビネットの扉の開閉操作によるこんろバ−ナ配設空間がキャビネット庫内空間との間が仕切られているために、従来のように調理器本体の外殻体とキャビネット庫間に仕切り板等を介在させて、キャビネットの扉の開閉操作時に生じる負圧現象がこんろバ−ナ部に影響するのを防止するために、キャビネット庫と外殻体間に仕切り板を設けていたが、仕切り板も不要になり、より安価な調理スペ−スが提供できる。
【００２１】
また、前述の仕切り板を設けてもキャビネット庫内と調理器との間を完全に遮断することは、調理器へのガス配管等が複雑に存在するためにできなかったので、仕切り板を設けても、キャビネット扉の開閉操作の急激度によっては、消火するという課題に対して、こんろバ−ナ配設空間とキャビネット間を互いに独立した空間に構成したことにより、キャビネット扉の開閉操作の影響を受けることがなく、従来と同様な施工で済み、施工工事も容易な調理器が提供できる。
【００２２】
請求項２に記載の発明は、外殻体内にグリル機能を有した焼生器を配設し、鍋等の被加熱物を加熱するこんろバーナを配設し、外殻体上面にこんろバーナに対応して、こんろバーナが配設される開口を有した天板を着脱自在に設け、外殻体と天板で庫を構成し、焼生器配設部とこんろバーナ配設部間に隔壁を設けて庫内が焼生器配設空間とこんろバーナ配設空間に略分割している。これによって、請求項１に記載の発明と同様に、開閉自在な扉を開操作してキャビネット内は瞬時的に負圧空間状態になっても、こんろバーナ配設空間はキャビネット空間とは仕切られているために影響を受けず消火することなく使い勝手のよい調理器を提供できる。
【００２３】
請求項３に記載の発明は、外殻体内にグリル機能を有した焼生器を配設し、鍋等の被加熱物を加熱するこんろバーナを配設し、外殻体上面にこんろバーナに対応して、こんろバーナが配設される開口を有した天板を着脱自在に設け、外殻体と天板で構成した庫内に、外殻体の一部と外殻体とは別体の内殻体と天板でこんろバーナ配設空間を設けて、庫内が焼生器配設空間とこんろバーナ配設空間に略分割されている。これによって、請求項1に記載の発明と同様に、開閉自在な扉を開操作してキャビネット内は瞬時的に負圧空間状態になっても、こんろバーナ配設空間はキャビネット空間とは仕切られているために影響を受けず消火することなく使い勝手のよい調理器を提供できる。
【００２４】
請求項４に記載の発明は、外殻体内にグリル機能を有した焼生器を配設し、鍋等の被加熱物を加熱するこんろバーナを配設し、外殻体上面にこんろバーナに対応して、こんろバーナが配設される開口を有した天板とは別体の蓋を固定又は着脱自在に設け、庫内が焼生器配設空間とこんろバーナ配設空間に略分割されている。これによって、請求項1に記載の発明と同様に、開閉自在な扉を開操作してキャビネット内は瞬時的に負圧空間状態になっても、こんろバーナ配設空間はキャビネット空間とは仕切られているために影響を受けず消火することなく使い勝手のよい調理器を提供できる。
【００２５】
また、外殻体上面にこんろバーナに対応して、こんろバーナが配設される開口を有した天板とは別体の蓋を固定又は着脱自在に設け、庫内が焼生器配設空間とこんろバーナ配設空間に略分割されたことにより、外殻体上面に別体の蓋を固定又は着脱自在に確実に固定されることで、こんろバーナ配設空間はキャビネット空間、焼生器配設部とは分離した空間に確実に構成されることによって、キャビネット空間、焼生器配設部とは分離した空間と隙間等で連通していないために、開閉自在な扉を開操作してキャビネット内は瞬時的に負圧空間状態になっても、こんろバーナ配設空間はキャビネット空間とは仕切られているために、こんろバーナ配設空間から瞬時的に負圧状態が解消される。したがって、キャビネット空間への空気流入がなくなり、扉を開操作の影響を受けず消火することなく使い勝手のよい調理器を提供できる。
【実施例】
【００２６】
以下、本発明の実施例について図面を用いて説明する。
【００２７】
（実施例１）
本発明の実施例１について図１、図２及び図３を参照して説明する。図１は、本実施例の調理器の外観図、図２は、調理器の内部構成図、図３は、調理器のこんろバーナ部を示す。なお、従来と同一機能を有する部位には、同一番号を付して説明は省略する。
【００２８】
図において、組み込み調理器１は、住宅の厨房の側壁に並設された調理台その他の厨房家具用のものとして使用される。その参考する一例として図７及び図８には、開口２を備えたカウンタトップ３の前面に開閉自在な扉４を備えたキャビネット５から構成された厨房家具６が断面で示されている。
【００２９】
該組み込み調理器１はカウンタトップ３の開口２に吊持させて設置される。厨房の側壁７には、例えば屋外のガス源から組み込み調理器１に燃料ガスを供給するためのガス配管８を配置するために貫通開口９が設けられている。この貫通開口９はガス配管８を配置した後、ある程度は密封されるが、後日のメンテナンス等を考慮すると、完全な形で密封することはできない。
【００３０】
よって、この貫通開口９を介して室内、特にカウンタトップ３の下側であって、キャビネット５と側壁７によって画成される空間１０が外気と連通する状態で施工される。このように施工された組み込み調理器１のこんろバ−ナ５０は、下部板５１に、内周面５２に沿って複数の炎口５３が環状に設けられた上部板５４を一体的にカシメて形成されるとともに、組み込み調理器１本体の上面５５を覆う天板５６の開口部に臨ませて設けられている。燃焼状態を良好に維持するためにこんろバ−ナ５０と天板５６間には、燃焼用二次空気を供給する二次空気供給通路５７が構成される。
【００３１】
また、こんろバ−ナ５０は、組み込み調理器１の外殻体５８内を上下に略２分割するこんろバ−ナ受け５９の上面側に設けたエア−ガイド６０に固定されて配設されている。こんろバ−ナ５０の炎口５３近傍には、こんろバ−ナ５０の燃焼の有無を検知するために燃焼熱で起電力が生じる熱伝対等の燃焼検出素子６１が配設されている。組み込み調理器１の外殻体５８の側板６２及び背板６３には、こんろバ−ナ５０、グリル６４の燃焼時に生じる調理器１本体内部の熱気を放出するとともに、各バ−ナの燃焼に必要な燃焼用二次空気を取り入れるために多数の開孔６５Ａが、組み込み調理器１がカウンタトップ３に装着された状態でキャビネット５庫内に面した状態に形成されている。こんろバ−ナ受け５９の下方には、組み込み調理器１本体の前面パネルに設けられた操作部６５を操作することで、こんろバ−ナ５０あるいは、グリル６４へ燃料ガスの供給を制御できるガスコック６６が設けられている。
【００３２】
このガスコック６６は、ケ−シングに収容された元弁と電磁安全弁を内包し、操作部６５とリ−ド線で電気的に接続されている。操作部６５は、操作部６５の信号にてガスコック６６の制御を掌る制御部６７ともリ−ド線で電気的に接続されている。操作部６５の操作にて制御部６７に操作信号が伝わり、制御部６７からの信号にてガスコック６６部の元弁、電磁安全弁が動作することで各バ−ナに燃料ガスが供給されて点火によって燃焼が開始し、燃焼検出素子６１にて熱起電力が生じることで、燃焼状態を検知し、燃焼を維持継続するように構成されている。
【００３３】
こんろバ−ナ受け５９の上面側に、調理器１本体の上面を覆う天板５６との間隙に、こんろバ−ナ５０配設部を調理器１の外殻体５８を構成する前板６８と側板６２で包括され、天板５６装着で閉空間をこんろバ−ナ５０を内包するように仕切り板６９が隔壁として設けられて、こんろバ−ナ５０配設空間７０を形成している。こんろバ−ナ５０の配設空間７０は、前板６８にこんろバ−ナ５０の燃焼に必要な燃焼用二次空気を取り入れるために多数の開孔７１が設けられて、他の部分には燃焼に必要な燃焼用二次空気を取り入れるための開孔７１は設けず、燃焼用二次空気は前板６８の開孔７１のみから供給されるように構成されている。
【００３４】
そして、組み込み調理器１の内部は、仕切り板６９とこんろバ−ナ受け５９で、こんろバ−ナ５０の配設空間７０とグリル７２及びガスコック６６等の配設空間７３に大きくは分割された２個の空間で構成され、グリル７２及びガスコック６６等の配設空間７３に対しても、グリルバ−ナ６４の燃焼用二次空気供給孔７４を設けて構成している。また、グリルは燃焼排ガスを排出するグリル排気口７５を有している。
【００３５】
このように構成された調理器をカウンタトップ３に吊り下げ設置され、外殻体５８がカウンタトップ３下方のキャビネット５庫内に面した状態で設置使用されている時に、キャビネット５庫内の収容物を取り出したり、収納使用としてキャビネット５の扉４を急激に開操作すると、キャビネット５内は瞬時的にキャビネット扉に引かれて負圧空間状態になる。この負圧状態を瞬時に解消するために、キャビネット５庫内に面した各開口あるいは各隙間からキャビネット５庫内に向けて負圧状態を解消するための空気流入が生じる。この空気流入現象は、こんろバーナ５０の配設空間７０、グリル７２あるいはガスコック６６配設空間７３に対しても作用し、キャビネット５庫内に面した側板６２、背板６３等に設けたグリル７２の燃焼用二次空気供給用孔７４に対しても負圧解消作用が働いて、キャビネット５庫内への空気供給部位となる。
【００３６】
グリル７２あるいはガスコック６６の配設空間７３は、天板に設けたグリル排気口７５を有して構成されているので、この現象発生時には、他の開孔等に比してはるかに大きい開口面積を有するグリル排気口７５が律速的に作用して空気供給がなされて負圧現象は瞬時に解消される。
【００３７】
また、こんろバーナ５０の配設空間７０はキャビネット５空間とは、外殻体５８、仕切り板６９の隔壁にて仕切られているために、キャビネット庫内の収容物を取り出したり、収納しようとしてキャビネット５の扉４を急激に開操作されて、キャビネット内は瞬時的にキャビネット５の扉４に引かれて負圧空間状態になっても、負圧状態になることはなく、従来のように炎口５３部に負圧現象が作用して火炎２０が炎口５３内に引き込まれて消火することはなく、キャビネット５の扉４等の開閉操作による影響を受けず使い勝手のよい調理器を提供できる。
【００３８】
また、庫内がグリル７２及びガスコック６６等の配設空間７３とこんろバーナ５０の配設空間７０に略分割され、こんろバーナ５０の配設空間７０は、前板にこんろバ−ナの燃焼に必要な燃焼用二次空気を取り入れるために多数の開口を設け、他の部分には燃焼に必要な燃焼用二次空気を取り入れるための開口は設けず、燃焼用二次空気は前板６８の開口のみから供給される構成であるから、こんろバーナ５０の配設空間７０に燃焼用二次空気は十分に供給される。よって、こんろバーナ５０の配設空間７０内に燃焼用二次空気が不足して、こんろバ−ナの燃焼不良が生じることなく、一酸化炭素等の排出もなく安全な組み込み調理器１が提供できる。
【００３９】
（実施例２）
本発明の実施例２について、図１、図２、及び、図４を参照して説明する。図４は、本実施例の内部構成図である。なお、実施例１と同等の機能を有するものについては、同一番号を付与して説明は省略する。
【００４０】
図において、こんろバ−ナ受け５９の上面側に、組み込み調理器１本体の上面を覆う天板５６との間隙に、外殻体５８と天板５６で構成した庫内に、外殻体の一部と外殻体５８とは別体の内殻体８０と外殻体５８を構成する前板６８と天板５６でこんろバーナ５０の配設空間７０を設けて、庫内がグリル７２あるいはガスコック６６配設空間７３とこんろバーナ５０の配設空間７０に略分割されたこんろバ−ナ配設部８１を包括し形成している。
【００４１】
こんろバ−ナ５０の配設空間７０は、前板６８にこんろバ−ナ５０の燃焼に必要な燃焼用二次空気を取り入れるために多数の開孔７１が設けられて、他の部分には燃焼に必要な燃焼用二次空気を取り入れるための開孔は設けず、燃焼用二次空気は前板６８の開孔７１のみから供給される構成である。組み込み調理器１の内部は、外殻体５８とは別体の内殻体８０とこんろバ−ナ受け５９で、こんろバ−ナ５０の配設空間７０とグリル７２及びガスコック６６等の配設空間７３に大きくは分割された２個の空間で構成されている。
【００４２】
このように構成された組み込み調理器１をカウンタトップ３に吊り下げ設置され、外殻体５８がカウンタトップ３下方のキャビネット５の庫内に面した状態で設置使用されている時に、キャビネット５の庫内の収容物を取り出したり、収納使用としてキャビネット５の扉４を急激に開操作すると、キャビネット５内は瞬時的にキャビネット５の扉４に引かれて負圧空間状態になる。この負圧状態を瞬時に解消するために、キャビネット５の庫内に面した各開口あるいは各隙間からキャビネット５の庫内に向けて負圧状態を解消するための空気流入が生じる。この空気流入現象は、こんろバーナ５０の配設空間７０、グリル７２あるいはガスコック６６の配設空間７３に対しても作用し、キャビネット５の庫内に面した側板６２、背板６３等に設けたグリルバ−ナ６４の燃焼用二次空気供給孔７４に対しても負圧解消作用が働いて、キャビネット５庫内への空気供給部位となる。
【００４３】
こんろバーナ５０の配設空間７０はキャビネット５空間とは、外殻体５８、外殻体とは別体の内殻体８０の隔壁にて仕切られているために、キャビネット５庫内の収容物を取り出したり、収納しようとしてキャビネット５の扉４を急激に開操作されて、キャビネット５内は瞬時的にキャビネット５の扉４に引かれて負圧空間状態になっても、負圧状態になることはなく、よって従来のように炎口５３部に負圧現象がこんろバ−ナ５０の入り口１８に吸い込まれる力が作用することがないので、火炎２０が炎口５３内に引き込まれて消火することはなく、したがって、キャビネット５の扉４等の開閉操作による影響を受けず使い勝手のよい組み込み調理器を提供できる。
【００４４】
（実施例３）
本発明の実施例３について、図１、図２、及び、図５を参照して説明する。図５は、本実施例の内部構成図である。なお、実施例１と同等の機能を有するものについては、同一番号を付与して説明は省略する。
【００４５】
図において、こんろバ−ナ受け５９の上面側に、組み込み調理器１本体の上面を覆う天板５６との間隙に、外殻体５８と天板５６で構成した庫内に、天板５６とは別体の蓋９０を固定又は着脱自在に設け、外殻体５８の一部と外殻体５８を構成する前板６８と天板５６とは別体の蓋９０でこんろバーナ５０の配設空間７０を設けて、庫内がグリル７２あるいはガスコック６６配設空間７３とこんろバーナ５０の配設空間７０に略分割されたこんろバ−ナ配設部９１を包括し形成している。
【００４６】
こんろバ−ナ５０の配設空間７０は、前板６８にこんろバ−ナの燃焼に必要な燃焼用二次空気を取り入れるために多数の開孔７１が設けられて、他の部分には燃焼に必要な燃焼用二次空気を取り入れるための開孔は設けず、燃焼用二次空気は前板６８の開孔７１のみから供給される構成である。組み込み調理器１の内部は、天板５６とは別体の蓋９０とこんろバ−ナ受け５９で、こんろバ−ナ５０の配設空間７０とグリル７２及びガスコック６６等の配設空間７３に大きくは分割された２個の空間で構成されている。
【００４７】
このように構成された調理器をカウンタトップ３に吊り下げ設置され、外殻体５８がカウンタトップ３の下方のキャビネット５庫内に面した状態で設置使用されている時に、キャビネット５庫内の収容物を取り出したり、収納使用としてキャビネット５の扉４を急激に開操作すると、キャビネット５内は瞬時的にキャビネット５の扉４に引かれて負圧空間状態になる。
【００４８】
この負圧状態を瞬時に解消するために、キャビネット５庫内に面した各開口あるいは各隙間からキャビネット５内に向けて負圧状態を解消するための空気流入が生じる。この空気流入現象は、こんろバーナ５０の配設空間７０、グリル７２あるいはガスコック６６の配設空間７３に対しても作用し、キャビネット５庫内に面した側板６２、背板６３等に設けたグリルバ−ナ６４燃焼用二次空気供給孔７４に対しても負圧解消作用が働いて、キャビネット５庫内への空気供給部位となる。
【００４９】
こんろバーナ５０の配設空間７０はキャビネット５の空間とは、外殻体５８、天板５６とは別体の蓋９０の隔壁にて仕切られているために、キャビネット５の庫内の収容物を取り出したり、収納しようとしてキャビネット５の扉４を急激に開操作されて、キャビネット５内は瞬時的にキャビネット５の扉４に引かれて負圧空間状態になっても、負圧状態になることはなく、従来のように炎口５３部に負圧現象が作用して火炎２０が炎口５３内に引き込まれて消火することはなく、キャビネット５の扉４等の開閉操作による影響を受けず使い勝手のよい組み込み調理器を提供できる。
【産業上の利用可能性】
【００５０】
本発明の組み込み調理器は、キャビネットの扉を急激に開いた際等にも、キャビネット庫内が負圧状態になることはなく、バーナ炎口部の火炎が炎口内に引き込まれて消火してはならないことが要求されるような技術分野等の用途にも適用できる。
【図面の簡単な説明】
【００５１】
【図１】本発明の実施例１の組み込み型調理器外観斜視図
【図２】同調理器の内部構成を示す斜視図
【図３】同調理器のこんろバーナ部の構成を示す側面図
【図４】本発明の実施例２の組み込み型調理器の内殻体を示す斜視図
【図５】本発明の実施例３の組み込み型調理器の別体の蓋を示す斜視図
【図６】同調理器の内部構成を示す斜視図
【図７】従来の組み込み型調理器の設置状態を示す部分正面・側面図
【図８】同調理器の設置状態を示す側断面図
【符号の説明】
【００５２】
１  組み込み調理器
５０  こんろバ−ナ
５２  内周面
５３  炎口
５６  天板
５８  外殻体
５９  こんろバーナ受け
６１  燃焼検出素子
６２  側板
６５  操作部
６５Ａ、７１  開孔
６６  ガスコック
６９  仕切り板
７０  こんろバーナの配設空間
７３  グリル、ガスコック配設空間
７５  グリル排気口
【図１】
2005106378.tif 000003
【図２】
2005106378.tif 000004
【図３】
2005106378.tif 000005
【図４】
2005106378.tif 000006
【図５】
2005106378.tif 000007
【図６】
2005106378.tif 000008
【図７】
2005106378.tif 000009
【図８】
2005106378.tif 000010